(57)【特許請求の範囲】
【請求項１】
略円形の外周部と前記外周部に形成した凸状部とからなる形状を外径形状とする部材を受け入れ可能な内径を有し、前記外径形状と略相似形状に外径が形成された基端部と、
前記基端部の最大外径以上の外径を有する略円筒形状の先端部と、
前記凸状部に対応した部位に形成され、前記基端部から前記先端部に向けて切り欠かれた形状の切欠部と、
を備えて形成されていることを特徴とする医療用具の先端構成部材。
【請求項２】
前記凸状部は、略円弧形状であることを特徴とする請求項１に記載の医療用具の先端構成部材。
【請求項３】
前記切欠部は、前記基端部から円弧状又は矩形状に切り欠かれていることを特徴とする請求項１に記載の医療用具の先端構成部材。
【請求項４】
前記基端部と前記先端部との間において、前記基端部から前記先端部へと連続的に外径が変化する連続部を、さらに備え、
前記切欠部は、前記基端部から前記連続部の中間部分にかかる部位であって前記凸状部に対応した部位に形成されていることを特徴とする請求項１に記載の医療用具の先端構成部材。
【請求項５】
請求項１に記載の医療用具の先端構成部材を備え、
前記先端構成部材は、さらに気体及び液体の霧状混合液を噴霧する噴霧ノズルを有することを特徴とする内視鏡洗浄シース。
【請求項６】
内視鏡と光源装置とを含む内視鏡システムにおいて、
略円形の外周部と前記外周部に形成した凸状部とからなる形状を外径形状とするチューブ状挿入部と、
前記チューブ状挿入部を受け入れ可能な内径を有し、前記外径形状と略相似形状に外径が形成された基端部と、前記基端部の最大外径以上の外径を有する略円形形状の先端部と、前記凸状部に対応した部位に形成され前記基端部から前記先端部に向けて切り欠かれた形状の切欠部と、気体及び液体の霧状混合液を噴霧する噴霧ノズルとを備えて形成される先端構成部材と、を備えた内視鏡洗浄シースと、
前記内視鏡洗浄シースを挿通する管状部材と、
を含んで構成されていることを特徴とする内視鏡システム。
【発明の詳細な説明】
【技術分野】
【０００１】
この発明は、内視鏡の挿入部等の先端面に設けられる観察用窓，照明用窓等の前面に向けて噴霧状混合流体を吹き付けて、各窓の表面に付着した付着物を除去する構成を備えた内視鏡洗浄シース等の医療用具の先端構成部材，内視鏡洗浄シース及びこの内視鏡洗浄シースを用いる内視鏡システムに関するものである。
【背景技術】
【０００２】
近年、医療分野の内視鏡システムは、体内観察や医療処置，外科手術等の際の低侵襲を目的として広く実用化されており、例えば開腹することなく治療処置を行う腹腔鏡下外科手術等に広く用いられている。【０００３】
例えば、腹腔鏡下外科手術においては、トロッカーを患者の腹部に穿刺して、このトロッカーを用いて観察用の内視鏡を体内へと導くようにしている。このとき、内視鏡による体内の観察中に、内視鏡の挿入部等の先端面に設けられている観察用窓や照明用窓等の前面側外表面に生体内の粘液，血液，脂肪，汚物等が付着してしまうことがあり（以下、これらを単に付着物等という）、これらの付着物等が良好な観察を妨げることがある。【０００４】
そのために、この種の従来の内視鏡システム等においては、挿入部先端面の観察用窓，照明用窓の外表面の付着物等を除去するための内視鏡洗浄シース等の医療用具が、例えば特開２００８−１３２２８２号公報等によって種々提案されている。【０００５】
上記特開２００８−１３２２８２号公報によって開示されている内視鏡洗浄シースは、観察用窓，照明用窓の付着物を除去するワイパーユニットを備えた形態のものである。この公報に記載されている内視鏡洗浄シースは、内部に内視鏡挿入部を挿通可能なチューブ形状からなり、外周面に突部を有するマルチルーメンチューブと、その先端部に固定可能な先端構成部材とを有する構成が記載されている。【０００６】
また、従来の内視鏡洗浄シースにおいては、装着した内視鏡等の観察用窓等の外表面の付着物等の洗浄のために、例えば気体と液体とを混合させて霧状化した混合液を噴出させる噴霧ノズルを先端構成部材に設けたものが種々提案されている。【０００７】
この種の従来の内視鏡洗浄シースは、先端部が湾曲可能に構成される内視鏡にも対応し得るように、シース挿入部が柔軟性を有する軟性チューブによって形成されており、また、噴霧ノズルを有する先端構成部材は、硬性樹脂若しくは金属部材等によって形成されているのが普通である。また、シース挿入部に用いられる軟性チューブとしては、内視鏡を挿通させるためのメインルーメンと、送気及び送液等を行うための少なくとも二つのサブルーメンとを設けたマルチルーメンチューブが採用されている。ここで、マルチルーメンチューブの断面形状は、円形ではなく、例えば上記サブルーメンの設けられる部位が径方向に突出するような形態の異形状に形成されている場合がある。その場合、このマルチルーメンチューブが一体に接合される先端構成部材の内周面の断面形状もまた、これに併せて略相似形の異形状に形成されている。このように、内視鏡洗浄シース等の医療用具においては、先端構成部材と軟性チューブとを接合した形態のものが種々存在している。【０００８】
ところが、従来の内視鏡洗浄シース等の医療用具において、先端構成部材と軟性チューブとを接合する接合部分を、一方（例えば先端構成部材）の内周側に他方（例えば軟性チューブ）の外周側を接するように配置した形態とする場合、先端構成部材の外周面の肉厚分だけの段差が形成されることになる。【０００９】
ここで、例えば、腹腔鏡下外科手術等においては、内視鏡洗浄シースを取り付けた内視鏡をトロッカーを介して体内に挿入することで体内の観察を行ない得る。一方、その手術等の実施中には、トロッカーから内視鏡洗浄シースを取り付けた内視鏡を抜去する場合もある。その場合において、トロッカー先端が上記段差に引っ掛かかる等の可能性があり、それに起因して、トロッカーから内視鏡洗浄シースを取り付けた内視鏡を抜去することができない場合が生じる。特に、内視鏡抜去時において、トロッカーの内壁面に対して内視鏡洗浄シースの外周面が当接状態となると、トロッカーの内壁面が内視鏡洗浄シースにおけるシース挿入部（マルチルーメンチューブ）のサブルーメン（送気送液用）部分を潰すようにして移動する可能性がある。すると、この場合、先端構成部材とシース挿入部との接合部分における見かけ上の段差はさらに大きくなることから、トロッカー先端が当該段差に引っ掛かり、内視鏡洗浄シースの抜去が困難となる可能性が大きくなるという問題点がある。【００１０】
本発明は、上述した点に鑑みてなされたものであって、その目的とするところは、先端構成部材の形状を工夫することにより簡単な構成で、医療用具の抜去時の引っ掛かり等を抑止し得る医療用具の先端構成部材，内視鏡洗浄シース及びこの内視鏡洗浄シースを用いる内視鏡システムを提供することである。
【発明の開示】
【課題を解決するための手段】
【００１１】
上記目的を達成するために、本発明の一態様の医療用具の先端構成部材は、略円形の外周部と前記外周部に形成した凸状部とからなる形状を外径形状とする部材を受け入れ可能な内径を有し、前記外径形状と略相似形状に外径が形成された基端部と、前記基端部の最大外径以上若しくは前記基端部の最大外径と略同径の外径を有する略円筒形状の先端部と、上記凸状部に対応した部位に形成され、前記基端部から前記先端部に向けて切り欠かれた形状の切欠部と、を備えて形成されている。
本発明の一態様の内視鏡洗浄シースは、上記医療用具の先端構成部材を備え、前記先端構成部材は、さらに気体及び液体の霧状混合液を噴霧する噴霧ノズルを有する。【００１２】
上記目的を達成するために、本発明の一態様の医療用具の先端構成部材は、略円形の外周部と前記外周部に形成した凸状部とからなる形状を外径形状とする部材を受け入れ可能な内径を有し、前記外径形状と略相似形状に外径が形成された基端部と、前記基端部の最大外径以上の外径を有する略円筒形状の先端部と、  前記凸状部に対応した部位に形成され、前記基端部から前記先端部に向けて切り欠かれた形状の切欠部とを備えて形成されている。
【００１３】
また、本発明の一態様の内視鏡システムは、内視鏡と光源装置とを含む内視鏡システムにおいて、略円形の外周部と前記外周部に形成した凸状部とからなる形状を外径形状とするチューブ状挿入部と、前記チューブ状挿入部を受け入れ可能な内径を有し、前記外径形状と略相似形状に外径が形成された基端部と、前記基端部の最大外径以上の外径を有する略円形形状の先端部と、前記凸状部に対応した部位に形成され前記基端部から前記先端部に向けて切り欠かれた形状の切欠部と、気体及び液体の霧状混合液を噴霧する噴霧ノズルとを備えて形成される先端構成部材と、を備えた内視鏡洗浄シースと、前記内視鏡洗浄シースを挿通する管状部材とを含んで構成されている。
【図面の簡単な説明】
【００１４】
【図１】図１は、本発明の第１の実施形態の先端構成部材を備えた内視鏡洗浄シースと、この内視鏡洗浄シースと組み合わせて用いる内視鏡とを示す概略構成図
【図２】図２は、図１の内視鏡洗浄シースの先端部位を拡大して示す要部拡大斜視図
【図３】図３は、図１の内視鏡洗浄シースにおけるチューブ状挿入部の（図２の矢印［３］方向から見た）断面図
【図４】図４は、図１の内視鏡洗浄シースの先端部位を拡大して示す要部拡大側面図
【図５】図５は、図１の内視鏡洗浄シースにおける先端構成部材の（図４の［５］−［５］線に沿う）断面図
【図６】図６は、図５の［６］−［６］線に沿う断面図
【図７】図７は、図１の内視鏡洗浄シースにおける先端構成部材とチューブ状挿入部との接合部位の（図４の［７］−［７］線に沿う）断面図
【図８】図８は、図４の矢印［８］方向から見た上面図
【図９】図９は、図８の［９］−［９］線に沿う断面図
【図１０】図１０は、図１の内視鏡洗浄シースの先端部位を拡大して前面側を示す要部拡大斜視図
【図１１】図１１は、図１の内視鏡洗浄シースをトロッカーに挿通させて最先端部位を前方に突出させた状態を示す側面図
【図１２】図１２は、図１１の［１２］−［１２］線に沿う断面図
【図１３】図１３は、図１１の［１３］−［１３］線に沿う断面図
【図１４】図１４は、図１１の［１４］−［１４］線に沿う断面図
【図１５】図１５は、本発明の一実施形態の先端構成部材の変形例を示し、当該先端構成部材を備えた内視鏡洗浄シースの一部（先端部分）のみを示す斜視図
【図１６】図１６は、図１５の内視鏡洗浄シースの一部（先端部分）を示す側面図
【発明を実施するための最良の形態】
【００１５】
以下、図示の実施の形態によって本発明を説明する。【００１６】
以下に説明する一実施形態は、本発明の先端構成部材を適用する医療用具として、例えば内視鏡の挿入部を挿通し得るチューブ形状の挿入部と、その挿入部の先端に接合される先端構成部材からなり、この先端構成部材には上記チューブ状挿入部に挿通した内視鏡等の観察用窓，照明用窓等の前面側外表面の付着物等を洗浄するための噴霧ノズルを備えた形態の内視鏡洗浄シースと、この内視鏡洗浄シースを用いる内視鏡システムを例示するものである。【００１７】
なお、以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。【００１８】
本発明の一実施形態の先端構成部材を備えた内視鏡洗浄シースと、この内視鏡洗浄シースと組み合わせて使用される内視鏡を含む内視鏡システムとのそれぞれの概略構成について、図１を用いて以下に説明する。【００１９】
まず、本実施形態の先端構成部材を備えた上記内視鏡洗浄シースと組み合わせて使用される内視鏡を含む内視鏡システムの概略構成を、図１を用いて説明する。なお、本実施形態において説明する内視鏡システムとしては、本実施形態の先端構成部材を備えた医療用具としての内視鏡洗浄シースと、この内視鏡洗浄シースと組み合わせて使用される内視鏡に加え、後述する管状部材であるトロッカー（図１１等参照），光源装置２４等を含めたシステムをいうものとする。【００２０】
本内視鏡システム１０に含まれる内視鏡２は、内視鏡先端部２１と、内視鏡挿入部２２と、接眼部２３等によって主に構成される所謂光学式内視鏡であり、その基本的な構成は従来一般に実用化されているものと略同様である。したがって、その構成についての説明は概略のみを以下に説明するに留める。【００２１】
上記内視鏡２の内視鏡先端部２１は、図示を省略しているが、内部に撮影光学系や照明光学系等を有しており、その先端面に観察用窓，照明用窓等が配設されている。上記撮影光学系にはイメージガイド束が連設され、また照明光学系にはライトガイド束が連設されている。これらのイメージガイド束，ライトガイド束は、内視鏡挿入部２２の内部において先端側から基端側まで、即ち先端側は上記内視鏡先端部２１内から、基端側は上記接眼部２３内までの間を挿通配置されている。また、上記ライトガイド束は、さらに接眼部２３を通過して、該接眼部２３に接続されるケーブル２３ｘ（図１参照）を介して光源装置２４（図１参照）にまで延出して、これに接続されている。この構成によってライトガイド束は、上記光源装置から出射される照明光を上記照明光学系まで伝達し、上記照明用窓から前方に向けて照射する。一方、上記イメージガイド束は、上記撮影光学系によって結像した光学像を上記接眼部２３まで伝達する。【００２２】
本実施形態において使用される内視鏡２の形態としては、上述したように光学式内視鏡の形態として説明したが、本実施形態の先端構成部材を備えた内視鏡洗浄シースに使用される内視鏡の形態はこれに限られることはない。本実施形態の先端構成部材を備えた内視鏡洗浄シースに使用される内視鏡の形態としては、上記光学式内視鏡のほかにも、所謂電子式内視鏡の形態であってもよい。【００２３】
この電子式内視鏡の構成は、例えば次のようなものである（図示は省略している；なお、その概略構成は図１を参照）。即ち、電子式内視鏡は、例えば内視鏡先端部２１の内部に撮像光学系，撮像素子等からなる撮像ユニットを備え、上記内視鏡先端部２１の先端面には観察用窓，照明用窓等を有して構成される。内視鏡先端部２１の基端側には内視鏡挿入部２２の先端側が連設している。また、内視鏡挿入部２２の基端側には操作部（接眼部２３に相当する部位）の先端側が連設している。そして、操作部の外表面には各種の操作部材が配設されている。また、この操作部からはユニバーサルコードが延出していて、このユニバーサルコードは、光源装置及びビデオプロセッサ（不図示；図１において符号２４に相当する外部装置）等に接続される。このような構成の電子式内視鏡は一般的な構成のものである。さらにまた、上記内視鏡挿入部の構成としては、湾曲自在に構成される軟性のものであってもよいし、硬性のものであってもよい。【００２４】
次に、本実施形態の先端構成部材を備えた内視鏡洗浄シースの詳細構成について図１〜図１０を用いて以下に説明する。【００２５】
内視鏡洗浄シース１の概略構成は、図１に示すように、先端構成部材１１と、チューブ状挿入部１２と、操作部１３と、制御スイッチ部１４等によって主に構成されている。ここで、先端構成部材１１は、チューブ状挿入部１２の先端部分を受け入れ可能な内径を有しており、先端構成部材１１の基端側の内径にチューブ状挿入部１２の先端部分が接続されて、これと一体となるように接合されている。先端構成部材１１は、硬性樹脂若しくは金属部材等の硬質性部材によって全体が略円筒形状に形成されている。【００２６】
チューブ状挿入部１２は、上述の如く、先端側に先端構成部材１１が接合されており、基端側には操作部１３が一体となるように接続されている。チューブ状挿入部１２は、上記内視鏡挿入部２２を挿通させると同時に、先端構成部材１１の噴霧ノズル１１ａの噴出口１１ａａ（詳細は後述する；図２等参照）から霧状化した混合液を噴出させるための気体及び流体を流通させる複数の管路を有して形成されている。そのために、チューブ状挿入部１２は、全体が軟性素材を用いてチューブ状に形成され、かつ複数の管路を有する所謂マルチルーメンチューブによって構成されている。【００２７】
ここで、チューブ状挿入部１２の構成について詳述する。チューブ状挿入部１２の断面形状は、例えば図３に示すように形成されている。チューブ状挿入部１２は、上記内視鏡挿入部２２が挿通される主要管路となる一本のメインルーメン１２ａと、このメインルーメン１２ａの外周寄りの部位に形成される複数（本実施形態では二本）のサブルーメン１２ｂとを有して形成されている。上記二本のサブルーメン１２ｂのうち一方は気体を流通させる送気用管路であり、他方は水等の液体を流通させる送液用管路である。【００２８】
なお、チューブ状挿入部１２の断面形状は、図３に示すように、二本のサブルーメン１２ｂの形成されている部分が径方向において外方に若干突出するように形成されている。つまり、上記チューブ状挿入部１２は、断面が全体として略円形の外周部を有しており、この外周部の一部には複数の凸状部を有して形成される外径形状からなる。【００２９】
ここで、チューブ状挿入部１２自体は、上述したように軟性素材を用いて形成されているので、例えば上記サブルーメン１２ｂが形成されている部位（上記凸状部）に外表面から外力が加わると、当該サブルーメン１２ｂによって形成される各管路は潰される形態に変位するが、チューブ状挿入部１２の断面形状は全体として略円形状に近い形態を維持する。つまり、このとき各管路が潰される形態となっても問題が生じないように、当該チューブ状挿入部１２は軟性を有している。【００３０】
また、チューブ状挿入部１２の肉厚は、上記二本のサブルーメン１２ｂの形成されている突出部分を含めて全周に亘って略均一となるように、かつ全体的に薄肉となるように形成されている。このような断面形状を採用することによって、例えばチューブ状挿入部１２に加わる湾曲負荷を低減することができる。したがって、このような断面形状のチューブ状挿入部１２を採用することによって、内視鏡洗浄シース１の耐性を向上させることができる。【００３１】
操作部１３は、上述したように、上記チューブ状挿入部１２の基端側が接続されている。操作部１３には、チューブ状挿入部１２のメインルーメン１２ａに対して上記内視鏡挿入部２２を挿通させるための開口１３ａ（図１参照）が形成されている。そして、この開口１３ａは、当該操作部１３に接続されたチューブ状挿入部１２のメインルーメン１２ａと連接するように形成されている。【００３２】
制御スイッチ部１４は、上記操作部１３と一体に形成されていて、送気操作及び噴霧操作を制御する操作スイッチ１４ａ等を備えて構成されている。制御スイッチ部１４には、不図示の送気送液装置から延出される送気チューブ及び送液チューブが接続されている。そして、これら送気チューブ及び送液チューブは、上記制御スイッチ部１４の内部において上記操作スイッチ１４ａを介して上記チューブ状挿入部１２の二本のサブルーメン１２ｂのそれぞれに接続されている。【００３３】
上記操作スイッチ１４ａは、例えば二段スイッチによって構成されており、例えば一段目の押圧操作によって送気動作を実行する。この状態（一段目の押圧操作状態）からさらに押し込む操作（二段目の押圧操作）を行なうと、送気動作に加えて送液動作が実行される。これにより、先端構成部材１１の噴霧ノズル１１ａの噴出口１１ａａから霧状化した混合液が噴霧される。なお、内視鏡洗浄シース１の操作による作用の詳細は後述する。【００３４】
一方、上記内視鏡洗浄シース１における先端構成部材１１の前面側には、上記チューブ状挿入部１２に挿通配置された上記内視鏡２の先端面の観察用窓，照明用窓等（不図示）の前面側外表面に付着した付着物等を洗浄するために霧状化させた混合液を噴出させるための噴霧ノズル１１ａが、図２，図４等に示すように一体に配設されている。【００３５】
そのために、先端構成部材１１には、上記チューブ状挿入部１２の二本のサブルーメン１２ｂを介して流れてくる気体及び液体を混合し霧状化した後、これを噴霧ノズル１１ａへと流通させる流路（図５，図８等の符号１１ｃ，１１ｄ参照）が形成されている。【００３６】
ここで、先端構成部材１１の内部に形成される流路（１１ｃ，１１ｄ）は次のように形成されている（図５，図８等参照）。即ち、流路１１ｃは、先端構成部材１１に接合されたチューブ状挿入部１２の複数（二つ）のサブルーメン１２ｂのそれぞれが連接する部位に形成されており、各サブルーメン１２ｂを介して上記送気送液装置（不図示）から送り出された気体及び液体がそれぞれ別々に流通するための流路である。【００３７】
上記流路１１ｃは、図５，図８等に示すように、先端構成部材１１の周方向に沿って断面が溝状となるように形成されている。図８に示すように、流路１１ｃの一方の端部近傍には、上記二つのサブルーメン１２ｂのうちの一つ（送気側）が連設され、流路１１ｃの他方の端部近傍には、上記二つのサブルーメン１２ｂのうちの他の一つ（送液側）が連設される。ここで、送気用のサブルーメン１２ｂが連設される側の開口部を送気側開口部というものとし、図５，図８等において符号１１ｃｂで示している。また、送液用のサブルーメン１２ｂが連設される側の開口部を送液側開口部というものとし、図５，図８等において符号１１ｃａで示している。【００３８】
また、流路１１ｃに流れる気体及び液体は、当該流路１１ｃの略中央部分近傍で合流する。その合流部分近傍には開口部１１ｄａが形成されている。この開口部１１ｄａは、当該先端構成部材１１の軸方向前方（先端側）に向けて延出する流路１１ｄの基端側に形成されている。そして、この流路１１ｄは、その先端側で上記噴霧ノズル１１ａに連通している。【００３９】
上記噴霧ノズル１１ａは、上記先端構成部材１１の一部として一体に形成されていて、上記流路１１ｄの先端が連設している。噴霧ノズル１１ａの内部には、図９に示すように、上記流路１１ｄに連接する屈曲流路１１ｆが形成されている。この屈曲流路１１ｆは、軸方向に形成された上記流路１１ｄに対して、当該内視鏡洗浄シース１の径方向に屈曲して形成されていて、その末端に噴出口１１ａａが形成されている。したがって、この噴出口１１ａａは、当該内視鏡洗浄シース１に挿通配置された内視鏡２の先端面の観察用窓，照明用窓等（不図示）を向くように形成されている。【００４０】
このような構成によって、流路１１ｃの一端の送気側開口部１１ｃｂから同流路１１ｃ内に流れてくる気体と、流路１１ｃの他端の送液側開口部１１ｃａから同流路１１ｃ内に流れてくる液体とは、流路１１ｃの略中央部近傍に形成された混合部開口１１ｄａの近傍にて合流し混合される。そして、この混合部位にて混合されて霧状化した混合液は混合部開口１１ｄａから流路１１ｄへと流れ込み、同流路１１ｄを通って上記噴霧ノズル１１ａの噴出口１１ａａへと至り、同噴出口１１ａａから当該内視鏡洗浄シース１に挿通配置された内視鏡２の先端面の観察用窓，照明用窓等（不図示）に向けて噴霧される。【００４１】
このように、本実施形態の先端構成部材１１においては、気体と液体とが混合する混合部位（混合部開口１１ｄａの近傍部位）と、霧状化した混合液が外部に噴霧される部位（噴霧ノズル１１ａの噴出口１１ａａ）とを、流路１１ｄを介して離れた部位にそれぞれ形成している（図９参照）。換言すると、混合部位（混合部開口１１ｄａの近傍部位）の配置される平面と、噴霧部位（噴霧ノズル１１ａの噴出口１１ａａ）の配置される平面とを、当該内視鏡洗浄シース１の軸方向に離して形成している。【００４２】
このような構成とすることで、本実施形態の先端構成部材１１においては、例えば混合部位と噴霧部位とを同じ平面に配置した従来構成のものに対して、送気動作時には、噴出口１１ａａから噴出される送気の噴出方向が傾いてしまうことを抑えることができ、確実に所定の方向への送気動作を行ない得る。また、本実施形態の先端構成部材１１による構成では、流路１１ｄを噴霧ノズル１１ａに連設させ、この噴霧ノズル１１ａの屈曲流路１１ｆにて噴霧方向を規定するようにしたので、確実に所定の方向へ霧状化した混合液を噴霧させ得る。【００４３】
また、図５，図８等に示すように、上記流路１１ｃの内部には、送液側開口部１１ｃａの近傍部位から上記混合部開口１１ｄａの近傍部位までの間の空間（即ち、上記流路１１ｃのうち主に液体が流通する側の空間）に、壁状突起１１ｅが形成されている。この壁状突起１１ｅは、例えば上記流路１１ｃの一壁面に沿わせて形成されている（図６参照）。  一般に、上述のような形態の内視鏡洗浄シースにおいて、送気と送液を行なって霧状化した混合液を噴霧させる操作を行なった後、その噴霧操作を停止させたとき、送液側の流路内には、噴霧ノズルの噴出口にまで到達しなかった液体が残存することがある。特に、上述の形態の流路構成の場合、送液用のサブルーメン１２ｂと流路１１ｃとの接合部位（送液側開口部１１ｃａ）の近傍は、送液用のサブルーメン１２ｂを通って送られてくる液体の流れの向きが変化する部位となっている。即ち、送液用のサブルーメン１２ｂを流れてきた液体は、送液側開口部１１ｃａから流路１１ｃに流れ込んだ直後に、その流れの向きを角度略９０度だけ変化させられる。このような部位には送気及び送液が停止された時に液体が溜まりやすい傾向がある。【００４４】
ここで、流路内に液体が残存している状態で、次の送気操作が行なわれたとすると、その残存液体は、送気側開口部１１ｃｂから流路１１ｃへと流れ込む気体に巻き込まれて、流路１１ｃ内を流れ、混合部開口１１ｄａから流路１１ｄへと移動して、最終的には噴霧ノズル１１ａから噴出されてしまうことになる。つまり、送気操作の動作中にも関らず、送気に混じって残存液体が混合し噴霧されてしまうことになる。【００４５】
そこで、本実施形態の先端構成部材１１においては、上述したように流路１１ｃの内部における所定の部位、即ち送液側開口部１１ｃａの近傍部位から上記開口１１ｄａの近傍部位までの間の空間に、上記壁状突起１１ｅを形成した構成とすることによって、上述の問題、即ち噴霧操作を停止した時の残存液体が、次の送気操作時に容易に移動してしまうことのないようにしている。つまり、流路１１ｃのうち送液側の流路内に上記壁状突起１１ｅを形成することで、残存液体の流れを阻止するようにしている。これにより、流路１１ｃの内部に残存液体が存在する状態で、送気操作を行なったとしても、残存液体の移動が阻止されることから、送気に液体が混合することがなく、確実な送気を行なうことができるような構成とされている。【００４６】
上述したように、噴霧ノズル１１ａは、噴出口１１ａａから噴出される混合液が当該内視鏡洗浄シース１に挿通配置された内視鏡２の先端面の観察用窓，照明用窓等（不図示）に向けて噴霧されるように形成されている。したがって、内視鏡２の先端面の観察用窓，照明用窓等（不図示）に向けて噴霧された混合液は、上記各窓の外表面にて滴状化してこれを洗浄するのであるが、この洗浄後の液体が、内視鏡洗浄シース１の先端構成部材１１の外周側面等を伝って、再度、内視鏡２の前面側に回り込んだり、噴霧ノズル１１ａの噴出口１１ａａ近傍に溜まったりする可能性がある。【００４７】
そこで、本実施形態の先端構成部材１１においては、図１０等に示すように、先端構成部材１１の前面側の外周縁部の一部であって、上記噴霧ノズル１１ａの噴出口１１ａａに対向する部位に円弧状壁部１１ｇが形成されている。この円弧状壁部１１ｇを設けることによって、上記噴霧ノズル１１ａの噴出口１１ａａから噴霧され上記内視鏡２の上記各窓の外表面上を洗浄した後の液体が、先端構成部材１１の外周側面等に流れ出すのを抑止して、当該洗浄後の液体を当該内視鏡洗浄シース１の主に前方へと飛散させるように構成している。したがって、上記洗浄後の液体が再度内視鏡２の前面側に回り込んで上記各窓の外表面を汚したり、噴霧ノズル１１ａの噴出口１１ａａ近傍に溜まってしまうことを抑止できる。【００４８】
さらに、噴霧ノズル１１ａの噴出口１１ａａの近傍には、噴霧後の混合液が付着し滴状化することにより溜まりやすい傾向がある。そこで、本実施形態の先端構成部材１１においては、噴霧ノズル１１ａの噴出口１１ａａの近傍には、撥水コート処理が施されている。当該部位に、このような表面処理を施すことによって、付着して滴状化した液体はすぐに流れ落ちてしまうようになり、よって当該部位に液体が溜まることを抑止するという効果がある。【００４９】
また、本実施形態の先端構成部材１１の外形形状は、例えば図４等に示されるように、基端側が上記チューブ状挿入部１２の外径形状と略相似形状に外径が形成されている。この部分を先端構成部材１１における基端部１１ｘという。また、先端側は上記基端部１１ｘの最大外径以上の外径を有する略円形形状に形成されている。この部分を先端部１１ｙという。そして、上記基端部１１ｘと上記先端部１１ｙとの間は、上記基端部１１ｘから上記先端部１１ｙへと連続的に外径が変化するように形成されている。この部分を連続部１１ｚという。さらに、前記基端部１１ｘから前記連続部１１ｚの中間部分にかかる部位であって、上記チューブ状挿入部１２の上記複数の凸状部に対応する各部位には切欠部１１ｂが形成されている。【００５０】
即ち、先端構成部材１１は、その軸方向の基端側（基端部１１ｘ）、即ちチューブ状挿入部１２が接合される側の周縁部の一部であって、チューブ状挿入部１２の二本のサブルーメン１２ｂがそれぞれ配置され径方向に隆起する各部位に、上記基端部１１ｘの周縁部から軸方向に凹形状若しくは略円弧形状又は矩形状に切り欠いた形状からなる二つの切欠部１１ｂが形成されている。即ち、二つの凹状切欠部１１ｂは、二本のサブルーメン１２ｂのそれぞれに対応する部位に形成されている。これら二つの凹状切欠部１１ｂを設けたことによって、上記先端構成部材１１の軸方向基端側の縁部近傍の断面形状は、図１１〜図１４に示すように略円形状に形成されている。また、図１１に示すように、二つの凹状切欠部１１ｂ（図１１では一つのみ図示）の近傍の端面は、先端構成部材１１の軸方向基端側の縁部から前方に向けてなだらかな上り斜面となるように形成されている。【００５１】
このような構成からなる本実施形態の先端構成部材１１を備えた内視鏡洗浄シース１を使用する際の作用を以下に説明する。【００５２】
まず、図１に示すように、上記内視鏡２の内視鏡挿入部２２を上記内視鏡洗浄シース１の操作部１３の開口１３ａからチューブ状挿入部１２のメインルーメン１２ａへと挿入させる。この状態の内視鏡洗浄シース１を管状部材であるのトロッカー３へと挿通配置させる。この状態で、内視鏡２を用いた体腔内の観察等を行うことができる。この場合、内視鏡２を挿通させた内視鏡洗浄シース１は、図１１に示すように、その先端部分がトロッカー３の先端から突出した状態で使用されることもある。この状態からトロッカー３に挿通されている内視鏡洗浄シース１を抜去するときには、まず、トロッカー３の最先端部が内視鏡洗浄シース１の先端構成部材１１の基端側に当接する。この時の状態が図１２に示すようになる。【００５３】
図１２に示す状態は、内視鏡洗浄シース１をトロッカー３から抜去する際に、トロッカー３の内壁面３ａが二本のサブルーメン１２ｂのうちの一方に沿うようにした状態を示している。このような状態となった時、トロッカー３の内壁面３ａは、サブルーメン１２ｂの管路を外側から押し潰す形態のまま、内視鏡洗浄シース１は抜去方向に進むことになる。やがて、図１２に示すように、内視鏡洗浄シース１の先端構成部材１１の基端側の二つの凹状切欠部１１ｂのうちの一方が、トロッカー３の最先端部に当接する。つまり、ここで、トロッカー３の最先端部が先端構成部材１１の基端部１１ｘ（図４参照）に到達する。このとき、凹状切欠部１１ｂの端面は、上述したように、先端構成部材１１の軸方向基端側の縁部から前方に向けてなだらかな上り斜面となるように形成されているので、先端構成部材１１の基端側の縁部は、トロッカー３の最先端部に引っ掛かることなくスムースに抜去方向に進む。つまり、トロッカー３の最先端部は凹状切欠部１１ｂの基端側から先端側へと進む。ここで、凹状切欠部１１ｂにおいては、先端構成部材１１とチューブ状挿入部１２との境界部が先端構成部材１１ｂの基端部１１ｘから先端側へ向けて湾状（略円弧状）に入り込んでいる。従って、トロッカー３の最先端部は凹状切欠部１１ｂとチューブ状挿入部１２との境界部に到達できない。また、連続部１１ｚ（図４参照）は、先端側に向かって外径が大きくなるので、トロッカー３の先端部が凹状切欠部１１ｂの先端側に向かう程、上記境界部から外径方向に遠ざけられることになる。従って、そのまま、内視鏡洗浄シース１の抜去を続けると、図１３に示す状態から図１４に示す状態にかけて、先端構成部材１１の基端側の上記縁部斜面は、トロッカー３の内壁面に摺動しながらスムースに抜去される。そして、図１４に示す状態より以降は、トロッカー３の内壁面に対して先端構成部材１１の外周面を摺動させつつスムースに内視鏡洗浄シース１を抜去することができる。【００５４】
以上説明したように上記一実施形態によれば、内視鏡洗浄シース１等の医療用具における先端構成部材１１は、全体として略円形の外周部と、この外周部に形成される凸状部とからなる形状を外径形状とするチューブ状挿入部１２の先端を受け入れ可能な内径を有し、上記チューブ状挿入部１２の外径形状と略相似形状に外径が形成された基端部１１ｘと、上記基端部１１ｘの最大外径以上の外径を有する略円形形状の先端部１１ｙと、上記基端部１１ｘと上記先端部１１ｙとの間に設けられ上記基端部１１ｘから上記先端部１１ｙへと連続的に外径が変化する連続部１１ｚと、上記基端部１１ｘから上記連続部１１ｚの中間部分にかかる部位であって上記チューブ状挿入部１２の上記凸状部（サブルーメン１２ｂ）に対応した部位に形成された切欠部１１ｂとを有して形成されている。【００５５】
このように構成された先端構成部材１１を、医療用具である内視鏡洗浄シース１に採用することによって、トロッカー３に挿通させた内視鏡洗浄シース１を抜去する際に、内視鏡洗浄シース１の先端構成部材１１がトロッカー３の最先端部に引っ掛かってしまうことを抑止することができる。したがって、常にスムースに内視鏡洗浄シース１（医療用具）の挿抜を行なうことができる。【００５６】
また、上述の実施形態に示す先端構成部材１１の変形例として、次に示すような形態としてもよい。図１５，図１６は、本発明の一実施形態の先端構成部材の変形例であって、当該先端構成部材を備えた内視鏡洗浄シースの一部（先端部分）を示す図である。このうち図１５は、当該内視鏡洗浄シースにおける先端部分の概略構成を示す斜視図である。図１６は、同部位の側面図である。【００５７】
本変形例の先端構成部材１１Ａの基本的な構成は、上述の一実施形態で示した先端構成部材１１と略同様の構成からなるものであり、その形状の一部が異なるのみである。従って、上述の一実施形態と同じ構成については、同じ符号を附してその説明は省略し、異なる部分のみを以下に詳述する。【００５８】
上述の一実施形態における先端構成部材１１においては、図１１等に示したように、二つの凹状切欠部１１ｂの近傍の端面は、先端構成部材１１の軸方向基端側の縁部から前方に向けてなだらかな上り斜面となるように形成している。即ち、上記連続部１１ｚ（図４参照）を設けて形成している。【００５９】
これに対し、本変形例における先端構成部材１１Ａにおいては、図１５，図１６に示すように、上記斜面部を設けずに形成している。つまり、本変形例の先端構成部材１１Ａは、全体が略円筒形状であって、基端部１１ｘから先端部までが、略同じ外径の筒状となるように形成されている。そして、この先端構成部材１１Ａにおいて、上述の一実施形態と同様に、二つの凹状切欠部１１ｂが設けられている。【００６０】
このように構成された上記変形例に示される先端構成部材１１Ａを適用した内視鏡シースにおいても、凹状切欠部１１ｂの部分においては、先端構成部材１１Ａとチューブ状挿入部１２との境界部は先端構成部材１１Ａの基端部１１ｘから先端側へと湾状に入り込んだ形状としているので、トロッカー３の最先端部は凹状切欠部１１ｂとチューブ状挿入部１２との境界部に到達できないことになる。したがって、上述の一実施形態と全く同様の効果を得ることができる。【００６１】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。【００６２】
本出願は、２０１３年５月２３日に日本国に出願された特願２０１３−１０９１１６号を優先権主張の基礎として出願するものである。【００６３】
上記基礎出願により開示された内容は、本願の明細書と請求の範囲と図面に引用されているものである。
【要約】
本発明は、簡単な構成で医療用具の抜去時の引っ掛かり等を抑止し得る医療用具の先端構成部材を提供することを目的とし、そのために、略円形の外周部と外周部に形成した凸状部１２ｂとからなる形状を外径形状とする部材１２を受け入れ可能な内径を有し、外径形状と略相似形状に外径が形成された基端部１１ｘと、基端部の最大外径以上若しくは前記基端部の最大外径と略同径の外径を有する略円筒形状の先端部１１ｙと、凸状部に対応した部位に形成され基端部から先端部に向けて切り欠かれた形状の切欠部１１ｂとを備えて形成されている。【図１】
0005670000.tif 000002
【図２】
0005670000.tif 000003
【図３】
0005670000.tif 000004
【図４】
0005670000.tif 000005
【図５】
0005670000.tif 000006
【図６】
0005670000.tif 000007
【図７】
0005670000.tif 000008
【図８】
0005670000.tif 000009
【図９】
0005670000.tif 000010
【図１０】
0005670000.tif 000011
【図１１】
0005670000.tif 000012
【図１２】
0005670000.tif 000013
【図１３】
0005670000.tif 000014
【図１４】
0005670000.tif 000015
【図１５】
0005670000.tif 000016
【図１６】
0005670000.tif 000017